(57)【要約】【課題】コントロール装置とデータキャリア装置とが第１および第２の接点を介してデータ通信を行うシステムにおいて、データキャリア装置が、接点から安定した動作電圧を得つつ、容易かつ正確に受信信号を検出できるようにする。【解決手段】データキャリア装置２Ａにおいて、整流回路２１の後段に平滑回路２３を設ける。これにより、データキャリア装置２Ａの動作電圧Ｖｉｎが平滑化され、回路動作が安定化する。また、コントロール装置１から接点Ａ，Ｂにそれぞれ供給された信号ＣＫ，ＩＣＫを検波し、電圧信号Ｖｓｉｇを出力する検波回路２４を設ける。この電圧信号Ｖｓｉｇには送信信号ＴＳが電圧レベルの変化として重畳されている。これにより、信号検出回路２２は、電圧信号Ｖｓｉｇの電圧レベルの変化を、受信信号ＲＳとして容易かつ正確に抽出することができる。【選択図】　図１
2004062422.tif 000002
【特許請求の範囲】
【請求項１】
コントロール装置とデータキャリア装置とが、第１および第２の接点を介してデータ通信を行うシステムであって、
前記コントロール装置は、
電力を供給する電源と、
クロックパルス信号を生成し、前記第１および第２の接点の少なくとも一方に供給するクロック発生回路と、
前記電源の電圧を変換し、前記クロック発生回路に第１の動作電圧として供給する電圧レベル発生回路と、
前記電圧レベル発生回路が生成する前記第１の動作電圧を、送信信号に応じて変化させる送信回路とを備えたものであり、
前記データキャリア装置は、
前記第１および第２の接点間の電圧を整流する整流回路と、
前記整流回路によって整流された電圧を平滑化し、当該データキャリア装置に第２の動作電圧として供給する平滑回路と、
前記第１および第２の接点の少なくとも一方に供給された前記クロックパルス信号を検波し、電圧信号として出力する検波回路と、
前記電圧信号のレベル変化を、受信信号として検出する信号検出回路とを備えたものである
ことを特徴とするデータ通信システム。
【請求項２】
請求項１記載のデータ通信システムにおいて、
前記検波回路は、前記クロックパルス信号が供給された前記接点と前記信号検出回路との間に設けられた整流素子を有するものである
ことを特徴とするデータ通信システム。
【請求項３】
請求項２記載のデータ通信システムにおいて、
前記整流素子は、ダイオードである
ことを特徴とするデータ通信システム。
【請求項４】
請求項２記載のデータ通信システムにおいて、
前記整流素子は、ダイオード接続されたトランジスタである
ことを特徴とするデータ通信システム。
【請求項５】
請求項４記載のデータ通信システムにおいて、
前記トランジスタは、ｐＭＯＳトランジスタであり、
前記ｐＭＯＳトランジスタは、基板バイアスとして、前記第２の動作電圧が与えられる
ことを特徴とするデータ通信システム。
【請求項６】
請求項１記載のデータ通信システムにおいて、
前記クロック発生回路は、
前記第１の接点に前記クロックパルス信号を供給するとともに、前記第２の接点に前記クロックパルス信号と逆相の反転クロックパルス信号を供給するものであり、
前記検波回路は、
前記第１の接点と前記信号検出回路との間に設けられた第１の整流素子と、
前記第２の接点と前記信号検出回路との間に設けられた第２の整流素子とを有し、
これら第１および第２の整流素子によって前記クロックパルス信号および反転クロックパルス信号を検波し、前記電圧信号として出力するものである
ことを特徴とするデータ通信システム。
【請求項７】
コントロール装置との間で、第１および第２の接点を介してデータ通信を行うデータキャリア装置であって、
前記第１および第２の接点間の電圧を整流する整流回路と、
前記整流回路によって整流された電圧を平滑化し、当該データキャリア装置の動作電圧として供給する平滑回路と、
前記第１および第２の接点の少なくとも一方に供給された信号を検波し、電圧信号として検出する検波回路と、
前記電圧信号のレベル変化を、受信信号として検出する信号検出回路とを備えた
ことを特徴とするデータキャリア装置。
【発明の詳細な説明】
【０００１】
【発明の属する技術分野】
本発明は、データ通信システムに関するものであり、特に、コントロール装置とデータキャリア装置とが２線で接続された接触式データキャリアシステムに好適なデータ伝送技術に属する。
【０００２】
【従来の技術】
近年、情報の高セキュリティ性や高信頼性などの要望により、ＬＳＩ内蔵のデータキャリア装置を用いたデータ通信システムが、工場での工程管理やＯＡ分野での物品管理などに広く用いられるようになってきた。このようなデータ通信システムとして、特願２００１−２５４２６６号や特願２００１−３６６４８０号（いずれも、本願発明者らによるものである。）に開示されたものがある。これら先願に開示されたデータ通信システムでは、コントロール装置とデータキャリア装置とが２線のみで接続され、この２線を通じて、コントロール装置からデータキャリア装置に電力およびクロックが供給されるとともに、両装置間でデータ伝送が行われる。
【０００３】
図６は、先願に開示されたデータ通信システムの構成を示す。コントロール装置１は、電力を供給する電源１１と、クロックパルス信号ＣＫおよびこれと逆相の反転クロックパルス信号ＩＣＫを生成して第１の接点Ａおよび第２の接点Ｂにそれぞれに供給するクロック発生回路１２と、電源１１の電圧を変換してクロック発生回路１２に第１の動作電圧Ｖｏｕｔとして供給する電圧レベル発生回路１３と、電圧レベル発生回路１３が生成する第１の動作電圧Ｖｏｕｔを送信信号ＴＳに応じて変化させる送信回路１４とを備えている。一方、データキャリア装置２は、第１および第２の接点Ａ，Ｂ間の電圧を整流してデータキャリア装置２に第２の動作電圧Ｖｉｎとして供給する整流回路２１と、整流回路２１によって整流された第２の動作電圧Ｖｉｎ（Ｃ−Ｄ間の電圧）の変化を受信信号ＲＳとして検出する信号検出回路２２とを備えている。
【０００４】
次に、先願に開示されたデータ通信システムの動作概要、特に、コントロール装置１からデータキャリア装置２へのデータ伝送および電力供給について、図７のタイミングチャートを参照しながら説明する。
【０００５】
コントロール装置１は、クロック発生回路１２のクロック源であるクロック信号ＣＫ１（図７（ａ））に対して、送信信号ＴＳに基づく（図７（ｂ））パルス振幅変調を行い、クロックパルス信号ＣＫ（図７（ｃ））および反転クロックパルス信号ＩＣＫ（図７（ｄ））を生成する。そして、これら信号ＣＫ，ＩＣＫを、接点Ａ，Ｂにそれぞれ供給する。
【０００６】
データキャリア装置２は、整流回路２１によって、接点Ａ，Ｂにそれぞれ供給された信号ＣＫ，ＩＣＫを整流し、第２の動作電圧Ｖｉｎ（図７（ｅ））を得る。この第２の動作電圧Ｖｉｎには送信信号ＴＳが重畳されているので、信号検出回路２２によって第２の動作電圧Ｖｉｎのレベル変化を、受信信号ＲＳとして検出する。
【０００７】
【発明が解決しようとする課題】
先願のデータ通信システムでは、第２の動作電圧Ｖｉｎに送信信号ＴＳが重畳されており、図７（ｅ）からわかるように、動作電圧Ｖｉｎの変動が大きいという問題がある。
【０００８】
データキャリア装置の動作電圧は、変動の少ないものが好ましい。このため、第２の動作電圧Ｖｉｎを平滑化しようとすると、今度は、動作電圧Ｖｉｎに重畳された送信信号ＴＳの信号成分が消滅し、受信信号ＲＳの検出が不可能になるという問題が生じる。
【０００９】
上記問題に鑑み、本発明は、コントロール装置とデータキャリア装置とが第１および第２の接点を介してデータ通信を行うシステムにおいて、データキャリア装置が、接点から安定した動作電圧を得つつ、容易かつ正確に受信信号を検出できるようにすることを課題とする。
【００１０】
【課題を解決するための手段】
上記課題を解決するために、本発明の請求項１の発明が講じた手段は、コントロール装置とデータキャリア装置とが第１および第２の接点を介してデータ通信を行うシステムとして、前記コントロール装置は、電力を供給する電源と、クロックパルス信号を生成して前記第１および第２の接点の少なくとも一方に供給するクロック発生回路と、前記電源の電圧を変換して前記クロック発生回路に第１の動作電圧として供給する電圧レベル発生回路と、前記電圧レベル発生回路が生成する前記第１の動作電圧を送信信号に応じて変化させる送信回路とを備えたものとする。そして、前記データキャリア装置は、前記第１および第２の接点間の電圧を整流する整流回路と、前記整流回路によって整流された電圧を平滑化して当該データキャリア装置に第２の動作電圧として供給する平滑回路と、前記第１および第２の接点の少なくとも一方に供給された前記クロックパルス信号を検波して電圧信号として出力する検波回路と、前記電圧信号のレベル変化を受信信号として検出する信号検出回路とを備えたものとする。
【００１１】
請求項１の発明によると、コントロール装置側では、クロック発生回路によって第１および第２の接点の少なくとも一方にクロックパルス信号が供給される。そして、データキャリア装置側では、整流回路によって第１および第２の接点間の電圧が整流され、この整流された電圧は平滑回路によって平滑化されてデータキャリア装置の動作電圧（第２の動作電圧）として供給される。また、コントロール装置側では、電圧レベル発生回路から供給される第１の動作電圧（この第１の動作電圧は、電源の電圧を変換したものである。）は、送信回路によって送信信号に応じて変化させられる。つまり、クロックパルス信号に送信信号が重畳され、送信信号に応じてクロックパルス信号の振幅は変化する。データキャリア装置側では、検波回路によって、第１および第２の接点の少なくとも一方に供給されたクロックパルス信号が検波され、電圧信号が出力される。そして、信号検出回路によって、この電圧信号のレベル変化が受信信号として検出される。以上のように、請求項１の発明によると、データキャリア装置側において、第１および第２の接点間に与えられた電圧、つまりコントロール装置から供給されたクロックパルス信号を基にして平滑化された動作電圧（第２の動作電圧）が得られるとともに、このクロックパルス信号に重畳された信号を、受信信号として容易かつ正確に検出することができる。
【００１２】
そして、好ましくは、請求項２の発明のように、請求項１記載の前記検波回路は、前記クロックパルス信号が供給された前記接点と前記信号検出回路との間に設けられた整流素子を有するものとする。さらに、請求項３や４の発明のように、請求項２記載の前記整流素子は、ダイオードやダイオード接続されたトランジスタであることが好ましい。
【００１３】
また、請求項５の発明のように、請求項４記載の前記トランジスタがｐＭＯＳにあっては、このｐＭＯＳトランジスタの基板バイアスとして前記第２の動作電圧を与えることが好ましい。これにより、基板バイアス効果によってゲートの閾値電圧が安定化し、整流特性が向上する。
【００１４】
そして、請求項６の発明では、請求項１記載の前記クロック発生回路は、前記第１の接点に前記クロックパルス信号を供給するとともに、前記第２の接点に前記クロックパルス信号と逆相の反転クロックパルス信号を供給するものとする。また、前記検波回路は、前記第１の接点と前記信号検出回路との間に設けられた第１の整流素子と、前記第２の接点と前記信号検出回路との間に設けられた第２の整流素子とを有し、これら第１および第２の整流素子によって前記クロックパルス信号および反転クロックパルス信号を検波して前記電圧信号を出力するものとする。
【００１５】
一方、請求項７の発明が講じた手段は、コントロール装置との間で第１および第２の接点を介してデータ通信を行うデータキャリア装置として、前記第１および第２の接点間の電圧を整流する整流回路と、前記整流回路によって整流された電圧を平滑化して当該データキャリア装置の動作電圧として供給する平滑回路と、前記第１および第２の接点の少なくとも一方に供給された信号を検波して電圧信号として出力する検波回路と、前記電圧信号のレベル変化を受信信号として検出する信号検出回路とを備えたものとする。
【００１６】
【発明の実施の形態】
以下、本発明の実施の形態について、図面を参照しながら詳細に説明する。
【００１７】
（第１の実施形態）
図１は、本発明の第１の実施形態であるデータ通信システムの構成を示す。本実施形態のデータ通信システムはコントロール装置１とデータキャリア装置２Ａとからなり、これら装置間で、第１の接点Ａおよび第２の接点Ｂの２点のみを介して、データ通信を行うものである。なお、図１において、図６に示したデータ通信システムにおける構成要素と機能が共通のものについては同じ符号を付し、説明を省略する。
【００１８】
信号検出回路２２は、後述する電圧信号Ｖｓｉｇに重畳されている信号を受信信号ＲＳとして検出する。一方、図６に示した信号検出回路２２は、前述したように第２の動作電圧Ｖｉｎ（Ｃ−Ｄ間の電圧）に重畳された信号を受信信号ＲＳとして検出するものであった。このように、本実施形態の信号検出回路２２と図６に示した信号検出回路２２とは、受信信号ＲＳを検出する基となる信号が異なるのみであり、内部構成は同様のものである。
【００１９】
平滑回路２３は、整流回路２１によって整流された電圧を平滑化し、データキャリア装置２Ａに第２の動作電圧Ｖｉｎとして供給する。平滑回路２３は、たとえば、容量素子やフィルタ回路によって実現することができる。
【００２０】
検波回路２４は、接点Ａと信号検出回路２２との間に設けられたｐＭＯＳトランジスタＴｒ１（本発明の第１の整流素子に相当する。）と、接点Ｂと信号検出回路２２との間に設けられたｐＭＯＳトランジスタＴｒ２（本発明の第２の整流素子に相当する。）とを有し、これらｐＭＯＳトランジスタＴｒ１，Ｔｒ２によって信号ＣＫ，ＩＣＫを検波し、電圧信号Ｖｓｉｇを出力する。
【００２１】
ｐＭＯＳトランジスタＴｒ１，Ｔｒ２は、いずれも、ソースとゲートとが接続された、いわゆるダイオード接続の状態にある。これにより、ｐＭＯＳトランジスタＴｒ１，Ｔｒ２は、ドレインをアノード、ソースをカソードとするダイオードとして動作する。そして、ｐＭＯＳトランジスタＴｒ１は、クロックパルス信号ＣＫがハイレベルのとき、このハイレベルの電圧を電圧信号Ｖｓｉｇとして出力する。同様に、ｐＭＯＳトランジスタＴｒ２は、反転クロックパルス信号ＩＣＫがハイレベルのとき、このハイレベルの電圧を電圧信号Ｖｓｉｇとして出力する。すなわち、検波回路２４は、実質的に、接点Ａ，Ｂ間の電圧を全波整流している。さらに、ｐＭＯＳトランジスタＴｒ１，Ｔｒ２は、基板バイアスとして第２の動作電圧Ｖｉｎが与えられている。
【００２２】
次に、上記のとおりに構成された本実施形態のデータ通信システムの動作について、特に、コントロール装置１からデータキャリア装置２Ａへのデータ伝送および電力供給について、図２のタイミングチャートを参照しながら詳細に説明する。
【００２３】
コントロール装置１において、クロック発生回路１２の入力端子にはコントロール装置１の動作クロックＣＫ１（図２（ａ））が入力され、インバータ１２ａから動作クロックＣＫ１と同相のクロックパルス信号ＣＫ（図２（ｃ））が出力されるとともに、インバータ１２ｂから動作クロックＣＫ１と逆相の反転クロックパルス信号ＩＣＫ（図２（ｄ））が出力される。そして、送信信号ＴＳ（図２（ｂ））が“Ｌ”レベルのとき、送信回路１４のＭＯＳトランジスタ１４ａは導通状態になるので、電圧レベル発生回路１３から出力される第１の動作電圧Ｖｏｕｔは、電源１１の電圧のＲ１／（Ｒ１＋Ｒ２）倍になる。一方、第１の送信信号ＴＳ１が“Ｈ”レベルのとき、ＭＯＳトランジスタ１４ａは非導通状態になるので、第１の動作電圧Ｖｏｕｔは電源１１の電圧になる。すなわち、信号ＣＫ，ＩＣＫの電圧レベルは、送信信号ＴＳが“Ｌ”のときは小さくなる一方、“Ｈ”のときは大きくなる。信号ＣＫ，ＩＣＫは、接点Ａ，Ｂにそれぞれ出力される。
【００２４】
データキャリア装置２Ａは、接点Ａ，Ｂからクロックパルス信号ＣＫおよび反転クロックパルス信号ＩＣＫを受ける。この信号ＣＫ，ＩＣＫは整流回路２１によって整流され、さらに、平滑回路２３によって平滑化される。これによりデータキャリア装置２Ａの動作電圧である第２の動作電圧Ｖｉｎ（図２（ｅ））が生成される。一方、信号ＣＫ，ＩＣＫは、検波回路２４によって検波され、電圧信号Ｖｓｉｇ（図２（ｆ））が出力される。図２（ｆ）からわかるように、電圧信号Ｖｓｉｇには送信信号ＴＳの変化が電圧レベルとして現れている。信号検出回路２２は、この電圧信号Ｖｓｉｇのレベル変化を受信信号ＲＳとして検出する。
【００２５】
以上、本実施形態によると、データキャリア装置２Ａ側において、整流回路２１および平滑回路２３によって、接点Ａ，Ｂ間に与えられた電圧、つまりコントロール装置１から供給されたクロックパルス信号ＣＫおよび反転クロックパルス信号ＩＣＫを基にして、平滑化された第２の動作電圧Ｖｉｎが生成される。また、検波回路２４および信号検出回路２２によって、信号ＣＫ，ＩＣＫから、容易かつ正確に受信信号ＲＳを検出することができる。
【００２６】
なお、ｐＭＯＳトランジスタＴｒ１，Ｔｒ２の基板バイアスとして、必ずしも第２の動作電圧Ｖｉｎを与える必要はなく、たとえば、ソース電極と基板電極とを接続するようにしてもよい。
【００２７】
また、検波回路２４が有する整流素子は、必ずしもｐＭＯＳトランジスタである必要はなく、たとえば、ｎＭＯＳトランジスタやダイオードであってもよい。図３は、本実施形態の検波回路２４とは異なる構成の検波回路の回路図である。同図（ａ）は、ダイオード接続されたｎＭＯＳトランジスタＴｒ１ａ，Ｔｒ２ａによって構成された検波回路２４Ａである。一方、同図（ｂ）は、ダイオードＤ１，Ｄ２によって構成された検波回路２４Ｂである。これら検波回路２４Ａ，２４Ｂは、本実施形態の検波回路２４と同様に作用するものである。
【００２８】
また、トランジスタはＭＯＳＦＥＴに限らず、ＪＦＥＴやＭＥＳＦＥＴやバイポーラであってもよい。また、必ずしも同一のチャネル型のトランジスタを対にして用いる必要はなく、ＣＭＯＳで構成することも可能である。
【００２９】
（第２の実施形態）
図４は、本発明の第２の実施形態であるデータ通信システムの構成を示す。本実施形態のデータ通信システムはコントロール装置１Ａとデータキャリア装置２Ｂとからなり、これら装置間で、第１の接点Ａおよび第２の接点Ｂの２点のみを介して、データ伝送を行うものである。本実施形態は、コントロール装置１Ａからデータキャリア装置２Ｂへのデータ通信が第１の接点Ａに供給されるクロックパルス信号ＣＫによってのみ行われ、第２の接点Ｂは接地されている点で、第１の実施形態とは異なっている。なお、図４において、図１および図６に示したデータ通信システムにおける構成要素と機能が共通のものについては同じ符号を付し、説明を省略する。
【００３０】
クロック発生回路１２Ａは、インバータ１２ｃを有し、クロック信号ＣＫ１と逆相のクロックパルス信号ＣＫを接点Ａに供給する。このクロックパルス信号ＣＫの電圧レベルは、第１の動作電圧Ｖｏｕｔに応じて変化する。
【００３１】
検波回路２４Ｃは、接点Ａと信号検出回路２２との間に設けられたｐＭＯＳトランジスタＴｒ１（本発明の整流素子に相当する。）を有し、このｐＭＯＳトランジスタＴｒ１によって信号ＣＫを検波し、電圧信号Ｖｓｉｇを出力する。
【００３２】
ｐＭＯＳトランジスタＴｒ１は、第１の実施形態のデータ通信システムにおける検波回路２４と同様に、ソースとゲートとが接続された、いわゆるダイオード接続の状態にある。そして、ｐＭＯＳトランジスタＴｒ１は、クロックパルス信号ＣＫがハイレベルのとき、このハイレベルの電圧を電圧信号Ｖｓｉｇとして出力する。すなわち、検波回路２４Ｃは、実質的に、接点Ａの電圧を半波整流している。なお、ｐＭＯＳトランジスタＴｒ１には、基板バイアスとして第２の動作電圧Ｖｉｎが与えられている。
【００３３】
次に、上記のとおりに構成された本実施形態のデータ通信システムの動作について、特に、コントロール装置１Ａからデータキャリア装置２Ｂへのデータ伝送および電力供給について、図５のタイミングチャートを参照しながら詳細に説明する。
【００３４】
コントロール装置１Ａにおいて、クロック発生回路１２Ａの入力端子にはコントロール装置１の動作クロックＣＫ１（図５（ａ））が入力され、インバータ１２ｃから動作クロックＣＫ１と逆相のクロックパルス信号ＣＫ（図５（ｃ））が出力される。第１の動作電圧Ｖｏｕｔは送信信号ＴＳ（図５（ｂ））に応じて変化し、この変化に応じて、信号ＣＫの電圧レベルが変化する。そして、信号ＣＫは接点Ａに出力される。
【００３５】
データキャリア装置２Ｂは、接点Ａからクロックパルス信号ＣＫを受ける。そして、整流回路２１によって接点Ａ，Ｂ間の電圧が整流され、さらに、平滑回路２３によって平滑化される。これによりデータキャリア装置２Ｂの動作電圧である第２の動作電圧Ｖｉｎ（図５（ｄ））が生成される。一方、信号ＣＫは、検波回路２４Ｃによって検波され、電圧信号Ｖｓｉｇ（図５（ｅ））が出力される。図５（ｅ）からわかるように、電圧信号Ｖｓｉｇには送信信号ＴＳの変化が電圧レベルとして現れている。信号検出回路２２は、この電圧信号Ｖｓｉｇのレベル変化を受信信号ＲＳとして検出する。
【００３６】
以上、本実施形態によると、データキャリア装置２Ｂ側において、整流回路２１および平滑回路２３によって、接点Ａに与えられた電圧、つまりコントロール装置１Ａから供給されたクロックパルス信号ＣＫを基にして、平滑化された第２の動作電圧Ｖｉｎが生成される。また、検波回路２４Ｃおよび信号検出回路２２によって、信号ＣＫから、容易かつ正確に受信信号ＲＳを検出することができる。
【００３７】
なお、検波回路２４ＣにおけるｐＭＯＳトランジスタの他の素子への置換可能性については、第１の実施形態で説明したとおりである。
【００３８】
【発明の効果】
以上、本発明によると、コントロール装置とデータキャリア装置とが互いに２点の接点を介してデータ通信を行うデータ通信システムにおいて、コントロール装置から供給されたクロックパルス信号を基にして、データキャリア装置側で平滑化された動作電圧を得ることができるとともに、このクロックパルス信号に重畳された信号を、容易かつ正確に抽出することができる。これにより、データキャリア装置の回路動作の安定化が図れるとともに、コントロール装置からデータキャリア装置へ、データを正確に伝送することができる。
【図面の簡単な説明】
【図１】本発明の第１の実施形態であるデータ通信システムの構成図である。
【図２】図１のデータ通信システムのタイミングチャートである。
【図３】図１のデータ通信システムにおける検波回路とは異なる構成の検波回路の回路図である。
【図４】本発明の第２の実施形態であるデータ通信システムの構成図である。
【図５】図４のデータ通信システムのタイミングチャートである。
【図６】先願に開示されたデータ通信システムの構成図である。
【図７】図６のデータ通信システムのタイミングチャートである。
【符号の説明】
１，１Ａ　コントロール装置
２Ａ，２Ｂ　データキャリア装置
１１　電源
１２，１２Ａ　クロック発生回路
１３　電圧レベル発生回路
１４　送信回路
２１　整流回路
２２　信号検出回路
２３　平滑回路
２４，２４Ａ，２４Ｂ，２４Ｃ　検波回路
Ａ　第１の接点
Ｂ　第２の接点
Ｔｒ１　ｐＭＯＳトランジスタ（第１の整流素子）
Ｔｒ２　ｐＭＯＳトランジスタ（第２の整流素子）
Ｔｒ１ａ　ｎＭＯＳトランジスタ（第１の整流素子）
Ｔｒ２ａ　ｎＭＯＳトランジスタ（第２の整流素子）
Ｄ１　ダイオード（第１の整流素子）
Ｄ２　ダイオード（第２の整流素子）
ＣＫ　クロックパルス信号
ＩＣＫ　反転クロックパルス信号
Ｖｏｕｔ　第１の動作電圧
Ｖｉｎ　第２の動作電圧
Ｖｓｉｇ　電圧信号
ＴＳ　送信信号
ＲＳ　受信信号
【図１】
2004062422.tif 000003
【図２】
2004062422.tif 000004
【図３】
2004062422.tif 000005
【図４】
2004062422.tif 000006
【図５】
2004062422.tif 000007
【図６】
2004062422.tif 000008
【図７】
2004062422.tif 000009